(57)【特許請求の範囲】
【請求項１】
端子ネジと、
平面断面が略Ｕ字状に形成され、端子片を中央片より外部方向に一体連設した第１の端子板と、
前記第１の端子板の両側片の上端部間に亘るように載置され、電線の先端を当接するストッパ片と、前記ストッパ片の一端より前記両側片の先端間に形成される開口面を沿うように一体に垂下させ、前記端子ネジを螺入させるネジ孔を穿設した垂下片とからなる第２の端子板とより構成される端子部を備え、
前記第１の端子板の前記両側片の下端と前記垂下片の下端とで囲繞される開口部を電線挿入口とし、該電線挿入口より挿入された電線を前記中央片の内側面と前記ネジ孔より螺入する前記端子ネジの先端で挟持することを特徴とするピラー端子。
【請求項２】
前記第２の端子板の前記垂下片の両側端に係止片を側方へ突設する共に、前記第１の端子板の両側片の前端部の下部に突片を前方へ突設し、前記突片の上端部に前記垂下片の前記係止片の下端を差し込む為の差し込み溝を設けたことを特徴する請求項１記載のピラー端子。
【請求項３】
前記係止片の先端を上記差し込み溝より外側方に突出させるように形成し、この突出先端を上方からスライド挿入する溝部を、器具側に設けた前記端子部の収納凹部の両側内面に対向形成したことを特徴とする請求項２記載のピラー端子。
【請求項４】
前記ネジ孔をカウンタシンクによって形成せる孔部により構成したことを特徴とする請求項１乃至請求項３の何れか記載のピラー端子。
【請求項５】
前記第２の端子板の前記ストッパ片の両側端に突起片を側方に向けて突設するとともに、前記第１の端子板の両側片の上端部に上方に開口したへこみ部を夫々設け、前記へこみ部に前記各突起片を嵌め込んで、前記ストッパ片を両側片間に亘らすように載置したことを特徴とする請求項１乃至請求項４の何れか記載のピラー端子。
【請求項６】
前記第１の端子板の前記電線挿入口の開口内縁に面取りを施こしていることを特徴とする請求項１乃至請求項５の何れか記載のピラー端子。
【発明の詳細な説明】
【０００１】
【発明の属する技術分野】
本発明は、ピラー端子に関するものである。
【０００２】
【従来の技術】
従来のピラー端子は図１３に示すように電線保持端子板１４と端子板１５とより構成される端子部１６と、端子ネジ６とより構成され、図１４に示すように電線保持端子板１４は板金を平面断面略Ｕ字形状に曲成することにより中央部の内面に、端子板１５の垂下片のネジ孔１７に螺入させた端子ネジ６の先端部とで電線８の芯線８ａを挟持する電線保持部１４ａを形成すると共に、両側端部に、端子板１５の側端に設けた出代１８…を挿入する挿入孔１４ｂを穿設している。
【０００３】
端子板１５は図１６に示すように中央付近にネジ孔１７を形成し、長手方向の両側端に上記の複数の出代１８を側方に突出するように突設し、また端子板１５の上端部に挿入された電線８の芯線８ａの先端を当接するストッパ片１９を一体連設し、このストッパ片１９の先端には、外面にスイッチ用の固定接点２０を形成した端子片を一体形成している。
【０００４】
ここで電線保持端子板１４と端子板１５とは図１６に示す手順により結合して端子部１６を構成する。
【０００５】
つまり図１６（ａ）に示すように結合する前の電線保持端子板１４は両側片が拡開しおり、この開いている状態で図１６（ｂ）に示す端子板１５の出代１８を一側片側の挿入孔１４ｂに差し込んで反対側の側片を閉じ、該側片の挿入孔１４ｂにも図１６（ｃ）に示すように出代１８を差し込み、両側の出代１８をかしめることで電線保持端子板１４と端子板１５とを結合固定する。この結合によって図１７に示すように端子部１６が完成する。これに端子ネジ６をネジ孔１７に螺入することでピラー端子が得られることになる。
【０００７】
【発明が解決しようとする課題】
上述した従来例のピラー端子では、通常は図１３に示すような状態であるが、電線８を接続する際に力を加えて挿入すると電線８の芯線８ａの先端によって図１８のようにストッパ片１９が押圧されて変位し、その結果接点２０の位置がずれてしまうという問題がある。
【０００８】
本発明は上記問題点に鑑みて為されたものであり、電線挿入時に端子片が変位することがないピラー端子を提供することを目的とするものである。
【０００９】
【課題を解決するための手段】
請求項１の発明では、端子ネジと、平面断面が略Ｕ字状に形成され、端子片を中央片より外部方向に一体連設した第１の端子板と、前記第１の端子板の両側片の上端部間に亘るように載置され、電線の先端を当接するストッパ片と、前記ストッパ片の一端より前記両側片の先端間に形成される開口面を沿うように一体に垂下させ、前記端子ネジを螺入させるネジ孔を穿設した垂下片とからなる第２の端子板とより構成される端子部を備え、前記第１の端子板の前記両側片の下端と前記垂下片の下端とで囲繞される開口部を電線挿入口とし、該電線挿入口より挿入された電線を前記中央片の内側面と前記ネジ孔より螺入する前記端子ネジの先端で挟持することを特徴とする。
【００１０】
請求項２の発明では、請求項１の発明において、前記第２の端子板の前記垂下片の両側端に係止片を側方へ突設する共に、前記第１の端子板の両側片の前端部の下部に突片を前方へ突設し、前記突片の上端部に前記垂下片の前記係止片の下端を差し込む為の差し込み溝を設けたことを特徴する。
【００１１】
請求項３の発明では、請求項２の発明において、前記係止片の先端を上記差し込み溝より外側方に突出させるように形成し、この突出先端を上方からスライド挿入する溝部を、器具側に設けた前記端子部の収納凹部の両側内面に対向形成したことを特徴とする。
【００１２】
請求項４の発明では、請求項１乃至請求項３の何れかの発明において、前記ネジ孔をカウンタシンクによって形成せる孔部により構成したことを特徴とする。
【００１３】
請求項５の発明では、請求項１乃至請求項４の何れかの発明において、前記第２の端子板の前記ストッパ片の両側端に突起片を側方に向けて突設するとともに、前記第１の端子板の両側片の上端部に上方に開口したへこみ部を夫々設け、前記へこみ部に前記各突起片を嵌め込んで、前記ストッパ片を両側片間に亘らすように載置したことを特徴とする。
【００１４】
請求項６の発明では、請求項１乃至請求項５の何れかの発明において、前記第１の端子板の前記電線挿入口の開口内縁に面取りを施こしていることを特徴とする。
【００１５】
【発明の実施の形態】
図面を参照して本発明の実施形態を説明する。
（実施形態１）
本実施形態のピラー端子は、図１に示すよう、電源端子或いは接点端子の仕様に共通となる共通端子板１と、本実施形態で構成する接点端子用の端子板２と、端子ネジ６とより構成され、共通端子板１は板金を直角に曲成し、一方の片で電線８の芯線８ａの先端と当接するストッパ片３を構成し、他方の片で中央部にネジ孔１０をカウンタシンクにより形成した垂下片４を構成する。ストッパ片３は先部の両側端に突起片３ａを側方に突出するように突設し、垂下片４は両側端に係止片４ａを側方に突出するように突設している。
【００１６】
また、端子板２は平面断面が略Ｕ状となるように板金を曲成して形成されたもので、両側片２ｂの下部には突片５を前方に突出するように突設し、突片５の上端部に共通端子１の垂下片に設けた係止片４ａの下端を差し込む為の差し込み溝５ａを形成している。
【００１７】
また、両側片２ｂ、２ｂの上端部には上方に開口したへこみ部２ｃを形成すると共に中央片２ａの上端部より外部方向に逆Ｌ字状の端子片７を一体延設し、この先端側縦片の外面にスイッチの固定接点７ａを設けている。
【００１８】
本実施形態のピラー端子を構成する端子板１と端子板２の結合は、図２（ａ）（ｂ）＜又は図３（ａ）（ｂ）＞に示すように端子板２の両側片２ｂの下部に突設した突片５の上端部に形成した差し込み溝５ａに端子板１の垂下片４に形成した係止片４ａの下端を差し込むと同時に、端子板２の両側片２ｂ、２ｂの上端部に形成したへこみ部２ｃに端子板１のストッパ片３の両側端に形成した突起片３ａを嵌め込むようにして、共通端子板１のストッパ片３を両側片２ｂ、２ｂ間に亘る如く載置し、同時に垂下片４を端子板２の両側片２ｂ、２ｂの前端面に沿うように垂下し、その下端を突片５，５ａに嵌め込むことで結合する。尚両側片２ｂ、２ｂの前端面上部と下部との間の凹み部がカウンタシンクの逃がし部２ｄとなる。
【００１９】
これにより共通端子板１と端子板２とで端子部１２が完成され、その下端部には電線挿入口１２ａが開口することになる。
【００２０】
そして端子ネジ６を共通端子板１のネジ孔１０に螺入させることでピラー端子が完成する。
【００２１】
このように端子部１２を組み立てる場合、端子板２に形成した突片５の差し込み溝５ａに共通端子板１の垂下片４に形成した係止片４ａを差し込むことと同時に端子板２の両側片２ｂの上端部に設けたへこみ部２ｃに共通端子板１のストッパ片３に形成した突起片３ａを嵌め込むだけよいので、かしめを行う必要がなくなり組立コストを減らすことができるという効果がある
ここで、図４に示すように端子部１２に備えた電線挿入口１２ａより電線８の芯線８ａを挿入し、芯線８ａを端子ネジ６の先端と端子板２の中央片２ａの内側面の間に挿入した後、端子ネジ６を締め付け、中央片２ａの内側面と端子ネジ６の先端で芯線８ａを挟持することにより、電線８の芯線８ａを機械的に保持し、かつ電気的に接続する。このとき電線８の芯線８ａの先端が共通端子板１のストッパ片３を突き上げて一点鎖線で示すように変形されても、端子板２の端子片２０は変形せず、固定接点７ａの位置は変わらない。
【００２２】
尚図５に示すように端子部１２の一端に開口した電線挿入口１２ａの開口内縁に面取り１２ｂを施しているため電線８が回転して動いても芯線８ａが傷つきにくい。
【００２３】
また、共通端子板１の垂下片４の裏面に端子部１２の内側方向に突出するようカウンタシンクによりネジ孔１０を形成しているため、端子ネジ６の出代を替えずにネジストロークを長くすることができる。
【００２４】
更に上記の端子ネジ６の締め付け時のネジ締め付けトルクによって発生する応力の保持部としてへこみ部２ｃとこれに当接する突起片３ａと、また突起片３ａとこれを差し込んだ差し込み溝部５ａとが夫々機能し、電線８を端子部１２のみで保持できるという効果がある。
【００２５】
本実施形態のピラー端子を、例えば、図６と図７に示すように配線器具に配設する場合、ピラー端子を収納する器具本体１１の収納凹部１３の両側の内側面に共通端子板１の垂下片４に形成した係止片４ａの突出先端４ｅをスライド挿入する溝部１３ａ，１３ａを対向形成し、収納凹部１３端子ネジ６の締め付けトルクによって発生する応力の突出先端４ｅが応力ストッパとして機能し、端子部１２の端子板１、２の変形を器具本体１１により補助的に抑えることができる。
【００２６】
尚図８に示すように、端子板２の上端部より外部方向に延設した平片と、平片の先端より側方に一体延設した縦片とで端子片７を形成し、その縦片の先端部の外面に固定接点７ａを設けた端子板２と、共通端子板１とを組み合わせることで、固定接点７ａの位置が異なるピラー端子を構成することができる。
【００２７】
同様に図９に示すように、端子板２の上端部より外部方向に延設した長平片と、平片の先端より側方に一体延設した縦片とで端子片７を形成し、その縦片の先端部の内面に固定接点７ｃを設けた端子板２と、共通端子板１とを組み合わせることで、固定接点７ｃの位置が上述のピラー端子と異なるピラー端子を構成することができる。
【００２８】
上述の各ピラー端子は固定接点を持つ端子板２を共通端子板１に組み合わせたものであるが、図１０に示すように中央片２ａの下端部より外部方向に一体延設した端子片７の先端に上方向に突出する略くの字状の接触部２ａ’を形成した端子片７を形成することで電源端子板を構成した端子板２を共通端子板１に組み合わせることで電源端子を備えたピラー端子を構成することもできる。
【００２９】
また共通端子板１としては図１１に示すように突起片３ａの一端側を斜めに形成したものでも良いが、基本的には共通端子板１は各種端子板２と組み合わせることで、各種のピラー端子を実現することができる。
【００３０】
また図１２に示すように、共通端子板１の垂下片４の中央付近に設けるネジ孔１０としては垂下片４の表方向に突出させるようにカウンタシンクで形成した孔部により構成しても良い。
【００３１】
上述のように、カウンタシンクを設けることにより、端子ネジ６とネジ孔１０の螺合量が増加するという効果がある
【００３２】
【発明の効果】
請求項１の発明は、端子ネジと、平面断面が略Ｕ字状に形成され、端子片を中央片より外部方向に一体連設した第１の端子板と、前記第１の端子板の両側片の上端部間に亘るように載置され、電線の先端を当接するストッパ片と、前記ストッパ片の一端より前記両側片の先端間に形成される開口面を沿うように一体に垂下させ、前記端子ネジを螺入させるネジ孔を穿設した垂下片とからなる第２の端子板とより構成される端子部を備え、前記第１の端子板の前記両側片の下端と前記垂下片の下端とで囲繞される開口部を電線挿入口とし、該電線挿入口より挿入された電線を前記中央片の内側面と前記ネジ孔より螺入する前記端子ネジの先端で挟持するので、電線の挿入時にストッパ片を変形させても、第１の端子板側に影響を与えることがないから、端子片の位置が変わらず、この端子片で接点端子片や電源端子片を構成しても、接点位置や電源接続位置がずれることがないという効果がある。
【００３３】
請求項２の発明は、請求項１の発明において、前記第２の端子板の前記垂下片の両側端に係止片を側方へ突設する共に、前記第１の端子板の両側片の前端部の下部に突片を前方へ突設し、前記突片の上端部に前記垂下片の前記係止片の下端を差し込む為の差し込み溝を設けたので、第１の端子板と、第２の端子板との結合を差し込みによって行え、従来のようにかしめに組み立てる必要がないため、組立が容易となり、組立工数の削減とともにコストダウンが図れるという効果がある。
【００３４】
請求項３の発明は、請求項２の発明において、前記係止片の先端を上記差し込み溝より外側方に突出させるように形成し、この突出先端を上方からスライド挿入する溝部を、器具側に設けた前記端子部の収納凹部の両側内面に対向形成したので、端子部の強度の向上と、端子ネジの締め付け時の端子板の変形を器具側で補助的に抑えることができる。
【００３５】
請求項４の発明は、請求項１乃至請求項３の何れかの発明において、前記ネジ孔をカウンタシンクによって形成せる孔部により構成したので、端子ネジの出代を代えずに端子ネジのストロークを長くすることができる。
【００３６】
請求項５の発明は、請求項１乃至請求項４の何れかの発明において、前記第２の端子板の前記ストッパ片の両側端に突起片を側方に向けて突設するとともに、前記第１の端子板の両側片の上端部に上方に開口したへこみ部を夫々設け、前記へこみ部に前記各突起片を嵌め込んで、前記ストッパ片を両側片間に亘らすように載置したので、端子ネジの締め付けにより発生する応力で端子部のみで電線を保持できる。
【００３７】
請求項６の発明は、請求項１乃至請求項５の何れかの発明において、前記第１の端子板の前記電線挿入口の開口内縁に面取りを施こしているので、電線が大きく動いた時に電線の芯線に傷が付きにくくなるという効果がある。
【図面の簡単な説明】
【図１】実施形態１を示す分解斜視図である。
【図２】同上の組立説明図である。
【図３】同上の組立説明図である。
【図４】同上の使用状態図である。
【図５】同上における電線挿入口の一部省略した断面図である。
【図６】同上を器具本体に組み立てる状態を示す一部省略せる分解斜視図である。
【図７】同上の器具本体に収納した様子を示した一部省略した上面図である。
【図８】同上に用いる別の端子板の（ａ）は上面図、（ｂ）は側面図である。
【図９】同上に用いる他の端子板の（ａ）は上面図、（ｂ）は側面図である。
【図１０】同上に用いるその他の端子板の（ａ）は上面図、（ｂ）は側面図である。
【図１１】同上に用いる共通端子板の別の例を示した（ａ）は上面図、（ｂ）は側面図、（ｃ）は上面図である。
【図１２】同上の共通端子板のその他の例を用いた端子部の側面図である。
【図１３】従来例の使用状態の側面図である。
【図１４】同上に用いる電線保持端子板の（ａ）は側面図、（ｂ）は断面図である。
【図１５】同上に用いる端子板の（ａ）正面図、（ｂ）は側面図である。
【図１６】同上の組立工程の説明図である。
【図１７】同上の（ａ）は正面図、（ｂ）は側面図である。
【図１８】同上の課題の説明用側面図である。
【符号の説明】
１  共通端子板
２  端子板
２ａ  中央片
２ｂ  側片
３  ストッパ片
３ａ  係止片
４  垂下片
４ａ  突起片
５  突片
５ａ  差し込み溝
６  端子ネジ
７  端子片
１０  ネジ孔
【図１】
0003627629.tif 000002
【図２】
0003627629.tif 000003
【図３】
0003627629.tif 000004
【図４】
0003627629.tif 000005
【図５】
0003627629.tif 000006
【図６】
0003627629.tif 000007
【図７】
0003627629.tif 000008
【図８】
0003627629.tif 000009
【図９】
0003627629.tif 000010
【図１０】
0003627629.tif 000011
【図１１】
0003627629.tif 000012
【図１２】
0003627629.tif 000013
【図１３】
0003627629.tif 000014
【図１４】
0003627629.tif 000015
【図１５】
0003627629.tif 000016
【図１６】
0003627629.tif 000017
【図１７】
0003627629.tif 000018
【図１８】
0003627629.tif 000019